【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
ネットワークを介して信号を通信するための装置によって実行される方法であって、
通信チャネルに関連付けられた周波数帯域内の第１の周波数サブバンドを定義するために、第１の連続周波数のセットをグループ化することと、ここにおいて、前記第１の周波数サブバンドは、ノッチ周波数に関連付けられる、
第１の量の電力を、前記第１の周波数サブバンドに割り振ることと、前記第１の量の電力は、前記装置の送信機に関連付けられた総電力能力に少なくとも部分的に基づく、
前記割り振られた第１の量の電力に、少なくとも部分的に、基づいて、前記第１の周波数サブバンド用の第１の電力レベルを決定することと、
前記第１の周波数サブバンド用のノッチ深度を決定することと、前記ノッチ深度は、前記第１の周波数サブバンド用の前記第１の電力レベルと、前記第１の周波数サブバンドに隣接する第２の周波数サブバンド用の第２の電力レベルとの間の差である、
前記ノッチ深度に、少なくとも部分的に基づいて、第１の送信プロファイルを選択することと、前記第１の送信プロファイルは、様々なノッチ深度用の複数の送信プロファイルの中から選択され、ここにおいて、前記第１の送信プロファイルは、前記ノッチ深度向けに最適化される、
前記第１の周波数サブバンド用の前記第１の電力レベルと前記第１の送信プロファイルとを使用して前記信号を送信することと
を備える、方法。
【請求項２】
前記通信チャネルに関連付けられた前記周波数帯域内の複数の周波数サブバンドを定義することと、
前記複数の周波数サブバンドの各々に、対応する量の電力を割り振ることと
をさらに備える、請求項１に記載の方法。
【請求項３】
前記複数の周波数サブバンドの各々に割り振られた前記対応する量の電力に、少なくとも部分的に基づいて、前記複数の周波数サブバンドの各々用の電力レベルを決定すること
をさらに備える、請求項２に記載の方法。
【請求項４】
前記第１の電力レベルをメッセージの一部として符号化することと、
前記メッセージを受信デバイスに通信することと
をさらに備える、請求項１に記載の方法。
【請求項５】
前記通信チャネルに関連付けられた前記周波数帯域内の前記第２の周波数サブバンドを定義するために、第２の連続周波数のセットを、チャネル品質インジケータに少なくとも部分的に基づいて、動的にグループ化することと、
第２の量の電力を前記第２の周波数サブバンドに割り振ることと、前記第２の量の電力は、前記第１の量の電力を割り振ることの後の前記総電力能力の残量に、少なくとも部分的に基づく、
前記第２の周波数サブバンドに割り振られた前記第２の量の電力に、少なくとも部分的に基づいて、前記第２の周波数サブバンド用の前記第２の電力レベルを決定することと、
をさらに備える、請求項１に記載の方法。
【請求項６】
前記第１の電力レベルを決定することは、
前記第１の周波数サブバンド用のノッチされた電力レベルまで前記第１の電力レベルを低下させることと、
前記ノッチされた電力レベルに少なくとも部分的に基づいて、前記第１の周波数サブバンドに割り振られた前記第１の量の電力を減少させることと
を備える、請求項１に記載の方法。
【請求項７】
前記第１の量の電力を前記減少させることの後に、前記総電力能力の残量を決定することと、
少なくとも１つの残りの周波数サブバンドに前記総電力能力の前記残量の少なくとも一部分を割り振ることと
をさらに備える、請求項６に記載の方法。
【請求項８】
前記信号を送信することは、
前記第１の送信プロファイルに従って時間領域内でパルス整形を実行すること
を備える、請求項１に記載の方法。
【請求項９】
前記第１の送信プロファイルは、パルス整形またはシンボルタイミング、あるいはこれらの組み合わせに関連付けられる、請求項１に記載の方法。
【請求項１０】
受信デバイスへの送信用に前記第１の送信プロファイルを利用する前に、前記受信デバイスに前記第１の送信プロファイルを通信すること
をさらに備える、請求項１に記載の方法。
【請求項１１】
前記第１の送信プロファイルを前記通信することは、送信フレームのフレームヘッダ内でインジケータを送信することを含み、前記フレームヘッダは前記第１の送信プロファイルを使用せず、前記送信フレームの本体は前記第１の送信プロファイルを使用する、請求項１０に記載の方法。
【請求項１２】
前記第１の送信プロファイルを前記通信することは、送信フレームのパケット本体内でインジケータを送信することを含み、前記第１の送信プロファイルは、次の送信フレームに使用される、請求項１０に記載の方法。
【請求項１３】
ネットワークを介して信号を送信するための装置であって、
プロセッサと、
前記プロセッサによって実行されると、前記装置に、
通信チャネルに関連付けられた周波数帯域内の第１の周波数サブバンドを定義するために、第１の連続周波数のセットをグループ化することと、ここにおいて、前記第１の周波数サブバンドは、ノッチ周波数に関連付けられる、
第１の量の電力を前記第１の周波数サブバンドに割り振ることと、前記第１の量の電力は、送信機に関連付けられた総電力能力に少なくとも部分的に基づく、
前記割り振られた第１の量の電力に、少なくとも部分的に基づいて、前記第１の周波数サブバンド用の第１の電力レベルを決定することと、
前記第１の周波数サブバンド用のノッチ深度を決定することと、前記ノッチ深度は、前記第１の周波数サブバンド用の前記第１の電力レベルと、前記第１の周波数サブバンドに隣接する第２の周波数サブバンド用の第２の電力レベルとの間の差である、
前記ノッチ深度に、少なくとも部分的に基づいて、第１の送信プロファイルを選択することと、前記第１の送信プロファイルは、様々なノッチ深度用の複数の送信プロファイルの中から選択され、ここにおいて、前記第１の送信プロファイルは、前記ノッチ深度向けに最適化される、
を行わせる命令を記憶するためのメモリと、
前記第１の周波数サブバンド用の前記第１の電力レベルと前記第１の送信プロファイルとを使用して前記信号を送信するように構成された前記送信機と
を備える、装置。
【請求項１４】
前記命令は、前記プロセッサによって実行されると、前記装置に、
前記通信チャネルに関連付けられた前記周波数帯域内の複数の周波数サブバンドを定義することと、
前記複数の周波数サブバンドの各々に、対応する量の電力を割り振ることと
を行わせる、請求項１３に記載の装置。
【請求項１５】
前記命令は、前記プロセッサによって実行されると、前記装置に、
前記第１の周波数サブバンド用のノッチされた電力レベルまで前記第１の電力レベルを低下させることと、
前記ノッチされた電力レベルに少なくとも部分的に基づいて、前記第１の周波数サブバンドに割り振られた前記第１の量の電力を減少させることと、
前記第１の量の電力を減少させることの後に、前記総電力能力の残量を決定することと、
少なくとも１つの残りの周波数サブバンドに前記総電力能力の前記残量の少なくとも一部分を割り振ることと
を行わせる、請求項１３に記載の装置。
【請求項１６】
前記命令は、前記プロセッサによって実行されると、前記装置に、
前記第１の電力レベルをメッセージの一部として符号化することと、
前記メッセージを受信デバイスに通信することと
を行わせる、請求項１３に記載の装置。
【請求項１７】
前記第１の送信プロファイルは、パルス整形またはシンボルタイミング、あるいはこれらの組み合わせに関連付けられる、請求項１３に記載の装置。
【請求項１８】
前記命令は、前記プロセッサによって実行されると、前記装置に、前記第１の送信プロファイルに従って時間領域内でパルス整形を実行することを行わせる、請求項１３に記載の装置。
【請求項１９】
前記命令は、前記プロセッサによって実行されると、前記装置に、受信デバイスへの送信用に前記第１の送信プロファイルを利用する前に、前記受信デバイスに前記第１の送信プロファイルを通信することを行わせる、請求項１３に記載の装置。
【請求項２０】
前記命令は、前記プロセッサによって実行されると、前記装置に、送信フレームのフレームヘッダ内でインジケータを送信することによって、前記受信デバイスに前記第１の送信プロファイルを通信することを行わせ、前記フレームヘッダは前記第１の送信プロファイルを使用せず、前記送信フレームの本体は前記第１の送信プロファイルを使用する、請求項１９に記載の装置。
【請求項２１】
装置のプロセッサによって実行されると、前記装置に、
通信チャネルに関連付けられた周波数帯域内の第１の周波数サブバンドを定義するために、第１の連続周波数のセットをグループ化することと、ここにおいて、前記第１の周波数サブバンドは、ノッチ周波数に関連付けられる、
第１の量の電力を前記第１の周波数サブバンドに割り振ることと、前記第１の量の電力は、送信機に関連付けられた総電力能力に少なくとも部分的に基づく、
前記割り振られた第１の量の電力に、少なくとも部分的に基づいて、前記第１の周波数サブバンド用の第１の電力レベルを決定することと、
前記第１の周波数サブバンド用のノッチ深度を決定することと、前記ノッチ深度は、前記第１の周波数サブバンド用の前記第１の電力レベルと、前記第１の周波数サブバンドに隣接する第２の周波数サブバンド用の第２の電力レベルとの間の差である、
前記ノッチ深度に、少なくとも部分的に基づいて、第１の送信プロファイルを選択することと、前記第１の送信プロファイルは、様々なノッチ深度用の複数の送信プロファイルの中から選択され、ここにおいて、前記第１の送信プロファイルは、前記ノッチ深度向けに最適化される、
前記第１の周波数サブバンド用の前記第１の電力レベルと前記第１の送信プロファイルとを使用して信号を送信することと
を行わせる命令を記憶するための、非一時的コンピュータ可読媒体。
【請求項２２】
前記命令は、前記プロセッサによって実行されると、前記装置に、
前記通信チャネルに関連付けられた前記周波数帯域内の複数の周波数サブバンドを定義することと、
前記複数の周波数サブバンドの各々に、対応する量の電力を割り振ることと
を行わせる、請求項２１に記載の非一時的コンピュータ可読媒体。
【請求項２３】
前記第１の周波数サブバンドはノッチ周波数に関連づけられ、または、チャネル品質インジケータは品質しきい値を下回り、前記命令は、前記プロセッサによって実行されると、前記装置に、
前記第１の周波数サブバンド用のノッチされた電力レベルを決定することと、
前記ノッチされた電力レベルに少なくとも部分的に基づいて、前記第１の周波数サブバンドに割り振られた前記第１の量の電力を減少させることと、
前記第１の量の電力の減少の後に、前記総電力能力の残量を決定することと、
少なくとも１つの残りの周波数サブバンドに前記総電力能力の前記残量の少なくとも一部分を割り振ることと
を行わせる、請求項２１に記載の非一時的コンピュータ可読媒体。
【請求項２４】
前記命令は、前記プロセッサによって実行されると、前記装置に、
前記第１の電力レベルをメッセージの一部として符号化することと、
前記メッセージを受信デバイスに通信することと
を行わせる、請求項２１に記載の非一時的コンピュータ可読媒体。
【請求項２５】
前記第１の送信プロファイルは、パルス整形またはシンボルタイミング、あるいはこれらの組み合わせに関連付けられる、請求項２１に記載の非一時的コンピュータ可読媒体。
【請求項２６】
前記命令は、前記プロセッサによって実行されると、前記装置に、前記第１の送信プロファイルに従って時間領域内でパルス整形を実行することを行わせる、請求項２１に記載の非一時的コンピュータ可読媒体。
【請求項２７】
前記命令は、前記プロセッサによって実行されると、前記装置に、受信デバイスへの送信のために前記第１の送信プロファイルを利用することの前に、前記受信デバイスに前記第１の送信プロファイルを通信することを行わせる、請求項２１に記載の非一時的コンピュータ可読媒体。
【請求項２８】
前記命令は、前記プロセッサによって実行されると、前記装置に、送信フレームのフレームヘッダ内でインジケータを送信することによって、前記受信デバイスに前記第１の送信プロファイルを通信することを行わせ、前記フレームヘッダは前記第１の送信プロファイルを使用せず、前記送信フレームの本体は前記第１の送信プロファイルを使用する、請求項２７に記載の非一時的コンピュータ可読媒体。